(57)【特許請求の範囲】
【請求項１】
脱穀部（１８）に、軸心を左右水平方向に向けた第一ロータ（２１）と第二ロータ（２２）を前後平行に配置した汎用コンバインの脱穀部において、前記第一ロータ（２１）と第二ロータ（２２）の進行方向に向かって右側部と下方を、脱穀部開閉カバー（９４）で覆う構成とし、該脱穀部開閉カバー（９４）は上機枠フレーム（１３ａ）と下機枠フレーム（１３ｂ）と、前後の支柱の間にかけて、正面視及び側面視で略四角形状に構成し、該第一ロータ（２１）及び第二ロータ（２２）の右側面と右下面を被覆し、該脱穀部開閉カバー（９４）の下部両側と、下機枠フレーム（１３ｂ）の側面の上部に蝶番（９５）を介装し、脱穀部開閉カバー（９４）を側下方に回動可能とし、該脱穀部開閉カバー（９４）の上部の、前記第一ロータ（２１）と第二ロータ（２２）のロータ回動軸（２１ｄ・２２ｄ）の下部の位置する部位には、上方を開放した凹部（９４ａ・９４ｂ）を構成し、該ロータ回動軸（２１ｄ・２２ｄ）を軸支するために、該凹部（９４ａ・９４ｂ）に、上機枠フレーム（１３ａ）から枢支プレート（１３ｃ・１３ｄ）を垂設し、該上機枠フレーム（１３ａ）の側面の脱穀カバーにおいて、前記枢支プレート（１３ｃ・１３ｄ）の下方に、前記受網（２３・２４）を着脱するための開口（１３ｅ・１３ｅ）を設けたことを特徴とする汎用コンバインの脱穀部。
【発明の詳細な説明】
【０００１】
【発明の属する技術分野】
本発明は、汎用コンバインにおける脱穀部の構造に関する。
【０００２】
【従来の技術】
従来より汎用コンバインは走行装置より前方に刈取部を突設し、該刈取部により刈り取った穀稈をビータの回動によりはね飛ばし後方に搬送して前後方向に配設したスクリュー型のロータに供給される。そして、該ロータの回転によって、脱穀を行い、脱粒後の排稈は機体後方に放出される。脱穀部における受網を漏下した穀粒や藁屑やゴミ等は脱穀部下方に配設した選別装置によって選別され、藁屑やゴミ等は機体後方から排出され、精粒は脱穀部の上方に配置したグレンタンクに貯留されるように構成していた。そして、グレンタンクがいっぱいになると、排出オーガによってトラックの荷台等の排出するように構成していた。
【０００３】
【発明が解決しようとする課題】
しかしながら、前記従来技術においては、汎用コンバインの構成は、運転席を収納したキャビン後方、脱穀部上方に脱穀された精粒を貯留するグレンタンクを配置していたので、脱穀部のメンテナンスを行う場合には、該グレンタンクを上側方に回動させる等して、脱穀部ロータ上方を開放する必要があり、また、ロータ下方の受網は外し難い位置となっていた。
【０００４】
本発明は、前記の点を鑑み、汎用コンバインの脱穀部のメンテナンスを容易に行うことができる構造を提供することを課題とする。
【０００５】
【課題を解決するための手段】
以上が本発明の解決する課題であり、次に課題を解決するための手段を説明する。
脱穀部（１８）に、軸心を左右水平方向に向けた第一ロータ（２１）と第二ロータ（２２）を前後平行に配置した汎用コンバインの脱穀部において、前記第一ロータ（２１）と第二ロータ（２２）の進行方向に向かって右側部と下方を、脱穀部開閉カバー（９４）で覆う構成とし、該脱穀部開閉カバー（９４）は上機枠フレーム（１３ａ）と下機枠フレーム（１３ｂ）と、前後の支柱の間にかけて、正面視及び側面視で略四角形状に構成し、該第一ロータ（２１）及び第二ロータ（２２）の右側面と右下面を被覆し、該脱穀部開閉カバー（９４）の下部両側と、下機枠フレーム（１３ｂ）の側面の上部に蝶番（９５）を介装し、脱穀部開閉カバー（９４）を側下方に回動可能とし、該脱穀部開閉カバー（９４）の上部の、前記第一ロータ（２１）と第二ロータ（２２）のロータ回動軸（２１ｄ・２２ｄ）の下部の位置する部位には、上方を開放した凹部（９４ａ・９４ｂ）を構成し、該ロータ回動軸（２１ｄ・２２ｄ）を軸支するために、該凹部（９４ａ・９４ｂ）に、上機枠フレーム（１３ａ）から枢支プレート（１３ｃ・１３ｄ）を垂設し、該上機枠フレーム（１３ａ）の側面の脱穀カバーにおいて、前記枢支プレート（１３ｃ・１３ｄ）の下方に、前記受網（２３・２４）を着脱するための開口（１３ｅ・１３ｅ）を設けたものである。
【０００６】
【発明の実施の形態】
以下、本発明の実施例を図面に基づいて詳述する。図１は汎用コンバインの全体側面図一部断面図、図２は同じく平面図、図３は脱穀部及び選別装置の側面断面図、図４はロータ右側部を被装する脱穀部開閉カバーの回動構成を示す正面図一部断面図、図５は同じく進行方向右側側面図、図６は脱穀部開閉カバーを開けた状態の進行方向右側側面図、図７はファスナーの側面図、図８は脱穀部の右側側面図、図９はロータカバーの回動構成を示す側面図である。
【０００７】
まず、本発明に係わる汎用コンバインの全体構成を図１乃至図３により説明する。クローラー式走行装置１上に機枠フレーム１３が搭載され、該機枠フレーム１３上に選別装置１９や脱穀部１８と、エンジン４８等を収納するエンジンルーム４９が載置固定され、脱穀部１８上にはグレンタンク３０が配置され、該グレンタンク３０側部にはその内部に貯留された穀粒を排出する排出オーガ４０が配置されている。また、前記機枠フレーム１３より前方に刈取部８が突出されている。刈取部８はプラットホーム２内に横送りオーガ３を左右方向に収納し、回転駆動することによって穀稈を略左右中央に集めるようにしている。前記プラットホーム２前端下部には刈刃４が横設され、該刈刃４の前上方には掻込リール５が配設されている。前記プラットホーム２の両側の後部上に昇降リンク６の後部が枢支され、該昇降リンク６の前端に前記掻込リール５が回転自在に支持され、油圧モーター等によって掻込リール５が回転駆動される。また、前記プラットホーム２の両側前端には分草板７が配設されている。
【０００８】
前記刈取部８と脱穀部１８の間には搬送装置９が配置され、該搬送装置９は、フィーダハウス１０内にコンベア１１が収納され、前記プラットホーム２の後部左右中心よりやや進行方向に対して左側寄りで、前記横送りオーガ３のスクリュー羽根の送り終端位置に合わせてフィーダハウス１０の前端が連通されている。該フィーダハウス１０の後端は、脱穀入口１２に連通されており、該脱穀入口１２には左右水平方向に回転軸心を有する円筒状のビータ３４が配置され、穀稈を強制的に脱穀部１８へ送るようにしている。フィーダハウス１０の後部は機枠フレーム１３に昇降回動自在に支持されている。そして、フィーダハウス１０の下面と機枠フレーム１３との間には図示せぬ油圧シリンダーを介装して、刈取部８を昇降可能としている。さらに、前記フィーダハウス１０とビータ３４の上方には運転席１５や操向ハンドル１６等を収納したキャビン１７を配置し、該キャビン１７は機体左右中央前方の上方位置に配置して視界を良好として、刈取作業を確認し易くし、左右両側より乗り降りできるようにしている。
【０００９】
また、前記フィーダハウス１０、ビータ３４及び脱穀入口１２は、機体の進行方向に向かって左側寄りに設けられ、該脱穀入口１２は第一ロータ（前ロータ）２１の左前部に配置して、穀稈を脱穀部１８の第一ロータ２１の回動によって右方へ搬送するようにしている。
【００１０】
前記脱穀部１８は、第一ロータ（前ロータ）２１と第二ロータ（後ロータ）２２と受網２３・２４等からなり、前記機枠フレーム１３上部に収納されている。前記第一ロータ２１と第二ロータ２２は略同じ形状に構成されており、筒の外周は、周囲に扱歯を有するスクリュー羽根２１ａ・２２ａを設けたスクリュー型に構成されて、軸心は左右水平方向に向けられて、前後平行に配置されている。前後方向に軸芯を有するロータを配置した脱穀部では前後方向に長くなるが、本実施例の如く左右に軸芯を有するロータ２１・２２を設けた脱穀部１８では前後方向に短くすることができ、選別装置１９後部の上方の空間を利用してエンジンルーム４９を設けることができ、効率良くレイアウトができる。
【００１１】
前記第一ロータ２１と第二ロータ２２の下方には、それぞれ受網２３・２４が配置され、第一ロータ２１と第二ロータ２２の上方はそれぞれ上部カバー３５・３６が配置されて、前ロータ室と後ロータ室を構成している。また、第一ロータ２１下方の受網２３右側の後部は前低後高に緩やかな円弧状で傾斜させ、第二ロータ２２の上外周の接線方向に向かって延出されて連通部１２３が形成され、該連通部２３ａ後端は第二ロータ２２の回転軌跡の前端部近傍まで延出されている。更に、前記受網２４の左後部に排出口１２４が開口されている。
【００１２】
更に、前記上部カバー３５・３６の水平状に成形した上部の内周面には送塵弁５９・５９・・・が左右幅方向に適宜間隔を開けて設けられ、上部カバー３５・３６上部に上下方向の回動支点を中心に回動自在に枢支されており、該送塵弁５９・５９・・・を回動操作することによって、穀稈が第一ロータ２１・第二ロータ２２内を移動する時間を穀稈の品種や穀稈の状態に合わせた調整することができ、様々な品種等に合わせた汎用性のある脱穀部１８が構成されるのである。
【００１３】
また、第一ロータ２１のスクリュー羽根２１ａは、第一ロータ２１の左端より連通部１２３の直左側までの間に形成され、連通部１２３前方の第一ロータ２１外周面には第一ロータ２１の半径方向に突出する板状の送り羽根２１ｂ・２１ｂ・・が形成されている。同様に第二ロータ２２のスクリュー羽根２２ａは、第二ロータ２２の右端部より排出口１２４の直右側までの間に形成され、スクリュー羽根２２ａ終端部より左側の排出口１２４前方の第二ロータ２２外周面に送り羽根２２ｂ・２２ｂ・・が形成され、脱穀後の排藁（排稈）を送り羽根２２ｂ・２２ｂ・・で送って排出口１２４より排出するようにしている。
【００１４】
このような構成において、フィーダハウス１０から脱穀入口１２へ刈り取った穀稈が送られると、第一ロータ２１の回転によって、刈取穀稈は右方へ搬送されながら脱粒される。そして、第一ロータ２１の右端に至ると緩傾斜状に形成した連通部１２３から第二ロータ２２の脱穀空間に送られ、第二ロータ２２の回転によって左方へ搬送されながら脱粒され、第二ロータ２２の左端に送られると、排出口１２４より落下される。
【００１５】
該排出口２４ａ下部から後下方にはガイドプレート６０が延出され、該ガイドプレート６０後部の上方とエンジンルーム４９底面との間位置には、強制的に排稈を後方に送り出す排稈ビータ６１が設けられている。該排稈ビータ６１は前記ロータ２１・２２の外径に比べ外径を小さくしたコンパクトとし組立容易な形状とし、排稈ビータ６１の回転速度を第二ロータ２２の回転速度より速くして排稈ビータ６１の周速度をロータ２１・２２より同等以上の速さとし、排稈を後方に送り出す性能を高めている。
【００１６】
前記排稈ビータ６１は、左端部が排出口１２４の左端部と一致し、排稈ビータ６１の右端部は排出口１２４右端部よりさらに右側に延出し、排出口１２４より排出された排稈を後方に左右幅広く搬送し、排稈ビータ６１後方の吸引ファン９２に取り込まれ、機体後端部に左右に全幅に渡って横架されたチッパー式のスプレッダー６２に受け継いで、該スプレッダー６２の複数の鉈状の刃によって切断され、機体後端部より圃場に排出される。
【００１７】
また、前記脱穀部１８下方には選別装置（揺動選別装置）１９が配置され、その構成は、流穀板２５、揺動本体５０、選別風を発生させる唐箕２７、選別された一番物を左右方向に搬送する一番コンベア２８と二番物を搬送する二番コンベア３１等より構成されている。前記一番コンベア２８及び二番コンベア３１は側面視でクローラー式走行装置１の後方に横設され、一番コンベア２８の左端部に連通して立状に配したバケット式の揚穀コンベア２９や、一番コンベア２８の左端部の左端部に連設する還元コンベア３２とクローラー式走行装置１とが干渉することのない効率的なレイアウトとしてる。さらに、選別装置１９は機枠フレーム１４の前後途中部より後部の間に収納され、選別装置１９前方の機枠フレーム１４前部とフィーダハウス１０後下方位置に走行駆動用のミッション装置４５を配置でき、効率の良いレイアウトとして全長を短くすることができる。
【００１８】
前記揺動本体５０は、前記第一ロータ２１前端の下方より選別装置１９の後端までに渡って配置され、揺動リンク機構５１によって揺動自在に支持されている。前記揺動本体５０前部には第一ロータ２１と第二ロータ２２の下方に渡って落下された穀稈を受けるグレーンパン５０ａが形成されている。該グレーンパン５０ａは側面視で波状に形成され揺動本体５０の揺動で後方に搬送するようにしている。
【００１９】
前記グレーンパン５０ａ後端に連接してフルイ線５２が配置されている。該フルイ線５２の下方より揺動本体５０の後端部にかけて、揺動本体５０の幅方向に横架した複数のチャフフィンより成るチャフ部が配置されている。該チャフ部は、前側より脱粒された穀稈量に応じてチャフフィンの前下がり傾斜角度が変わる可動チャフ５３と、手動によってチャフフィンの前下がり傾斜角度が変える手動チャフ５４と、チャフフィンの前下がり傾斜角度が固定された固定チャフ５５より構成されている。該チャフ部の下方の揺動本体５０底面は落下口５５ｂが開口され、図示せぬクリンプ網によって被装されている。
【００２０】
また、前記揺動本体５０のグレーンパン５０ａの前後途中部の下方に唐箕２７が横設され、ガイドに従って後方に選別風を送り落下口５５ｂ等より揺動本体５０内に選別風を送風して、前記チャフ部で比重選別と風選別とを行い、一番物と二番物とに選別している。
【００２１】
このような構成において、前記第一ロータ２１と第二ロータ２２の受網２３・２４より落下された穀粒や藁屑等は、揺動本体５０のグレーンパン５０ａ上に受け止められて後方に搬送され、グレーンパン５０ａ後部よりフルイ線５２で後方に跳ね飛ばされて、そのままチャフ部に落下させて比重選別と風選別とが行われるのである。
【００２２】
次に、機体一側面のロータの位置する部分に配設した開閉カバーの構造についての一実施例を説明する。図４〜図６に示すように、前記第一ロータ２１と第二ロータ２２の進行方向に向かって右側部下方を脱穀部開閉カバー９４で覆う構成としている。該脱穀部開閉カバー９４は上機枠フレーム１３ａと下機枠フレーム１３ｂと前後の支柱の間にかけて正面視及び側面視で略四角形状に構成している。そして、第一ロータ２１及び第二ロータ２２の右下側面と右下面を覆う構成としている。また、該脱穀部開閉カバー９４の上部における第一ロータ２１と第二ロータ２２のロータ回動軸２１ｄ・２２ｄの下部に位置する部位には、上方を開放した凹部９４ａ・９４ｂが設けられ、該ロータ回動軸２１ｄ・２２ｄを軸支するために、上機枠フレーム１３ａから枢支プレート１３ｃ・１３ｄが垂設されている。こうして、上機枠フレーム１３ａ側面（脱穀カバー）に受網２３・２４を着脱するための開口１３ｅを設けても第一ロータ２１と第二ロータ２２のロータ回動軸２１ｄ・２２ｄを枢支するための剛性は確保されている。
【００２３】
また、前記脱穀部開閉カバー９４下部両側と下機枠フレーム１３ｂの側面の上部には前後二箇所に蝶番９５・９５が介装され、該蝶番９５・９５を前後方向の回動支点として脱穀部開閉カバー９４を側下方に回動可能としている。更に、前記機枠フレーム１３下部と脱穀部開閉カバー９４下部との間に図示せぬガススプリングからなるダンパー等が介装され、脱穀部開閉カバー９４の回動時に大きな力を必要とせず補助するようにし、また、急激な回動を防止している。
【００２４】
また、前記脱穀部開閉カバー９４側面の上部にはワンタッチ係止具の係止部材９６が突設され、上機枠フレーム１３ａの下部には、該ワンタッチ係止具の受部９７が突設されている。
【００２５】
そして、前記係止具９６は図７に示すように、ロック操作軸９８を中心に操作レバー１０１が回動可能に枢支され、該操作レバー１０１に枢支した「コ」字状の係合部１０３を受部９７のフック９９に係止して、操作レバー１０１を下方に回動することによってロックできるようにしている。そして、操作レバー１０１を上方に回動してフック９９から係合部１０３を抜いてロックを解除し、脱穀部開閉カバー９４を側下方に回動させると、受網２３・２４の右端部が開放され、固定ボルト２２３・２２４・・・を取り外して受網２３・２４を取り付けた受網枠４３・４４ごと抜き出してメンテナンスを行ったり交換することができるのである。そして、作業後に受網枠４３・４４を収納して脱穀部開閉カバー９４を閉じ、係止具９６をロックする。
【００２６】
次に、前記受網の取外しについて、図８および図９を参照して説明する。まず、脱穀部の前ロータ２１の上方を覆う上部カバー３５の略上半部前側側面はロータカバー３５ａによってカバーされ、該ロータカバー３５ａの最下端部はヒンジ２２１を介して前板に枢支されており、該ロータカバー３５ａは前外方向に回動して開閉ができる。また、後ロータ２２の略上半部後側側面をカバーしたロータカバー３６ａの最下端部はヒンジ２２２を介して枢支されており、該ロータカバー３６ａは後外方向に回動しを開閉を行う。また、該ロータカバー３５ａ・３６ａの回動基部側の水平部には側面視逆Ｖ字状の嵌合部となる凹部３５ｂ・３６ｂが形成されている。一方、前記受網２３・２４はそれぞれ３つに分割され、それぞれの左右外側は受網枠４３ａ・４３ｂ・４３ｃ・４４ａ・４４ｂ・４４ｃで支持されている。そして、前後外側の外受網枠４３ｃ・４４ｃの上端部４３ｄ・４４ｄは前記凹部３５ｂ・３６ｂの形状に合わせて逆Ｖ字状に嵌合部が形成され、ロータカバー３５ａ・３６ａを閉じられているときは、外受網枠４３ｃ・４４ｃの上端部４３ｄ・４４ｄがロータカバー３５ａ・３６ａの凹部３５ｂ・３６ｂに嵌合されて、該受網４３ｃ・４４ｃは更に強固に固定され、内受網枠４３ａ・４４ａと中受網枠４３ｂ・４４ｂも押さえつけて位置決めされるのである。
【００２７】
また、前記ロータカバー３５ａ・３６ａの上部にロックアーム２２７・２２７が配設され、ロータカバー３５ａ・３６ａを開ける際は、ロックアーム２２７・２２７を上方向に回動して、該ロックアーム下方のフック２２８・２２８が固定側カバーに設けた係合ピン２２９・２２９から外れてロックが解除され、ロータカバー３５ａ・３６ａを側上方に回動させて開放されるともに、該ロータカバー３５ａ・３６ａの凹部３５ｂ・３６ｂと外受網枠４３ｃ・４４ｃの上端部４３ｄ・４４ｄとの嵌合も外れる。
【００２８】
そして、前記外受網枠４３ｃ・４４ｃを固定した固定ボルト２２３ｃ・２２４ｃを外して、受網を支えているブラケット２２５ｃ・２２６ｃを外した後、該外受網枠４３ｃ・４４ｃは、上端部４３ｄ・４４ｄでの支持が解除されているために下端部を支点として両ロータ２１・２２側方の機枠フレーム１３側に幾分傾倒し、外受網枠４３ｃ・４４ｃに取り付けられた受網をそのまま上側方に引き出して取り外し、メンテナンスを行ったり交換することができるのである。
【００２９】
また、内受網枠４３ａ・４４ａと中受網枠４３ｂ・４４ｂの取り出しは、前述の如く、脱穀部開閉カバー９４を開放した後、該内受網枠４３ａ・４４ａと中受網枠４３ｂ・４４ｂを固定するそれぞれの固定ボルト２２３ａ・２２４ａ、固定ボルト２２３ｂ・２２４ｂを外してブラケット２２５ａ・２２６ａ，ブラケット２２５ｂ・２２６ｂを外し、機体側方から引き出して取り外しメンテナンスを行ったり交換することができるのである。
【００３０】
このように構成したことで、第一ロータ２１と第二ロータ２２の下方のメンテナンスが行い難い場所であっても、受網２３・２４を第一ロータ２１と第二ロータ２２への駆動伝達部が配置されることのない右側方の一部が開放されて取り出すことができ、メンテナンスを迅速に行うことができ作業性が向上され、また、品種に合わせて受網２３・２４を容易に交換できるので収穫する品種に合わせた脱穀構成となり汎用性が向上されるのである。
【００３１】
【発明の効果】
本発明は以上のように構成したもので、次のような効果を奏するものである。
脱穀部（１８）に、軸心を左右水平方向に向けた第一ロータ（２１）と第二ロータ（２２）を前後平行に配置した汎用コンバインの脱穀部において、前記第一ロータ（２１）と第二ロータ（２２）の進行方向に向かって右側部と下方を、脱穀部開閉カバー（９４）により被覆し、該脱穀部開閉カバー（９４）は上機枠フレーム（１３ａ）と下機枠フレーム（１３ｂ）と、前後の支柱の間にかけて、正面視及び側面視で略四角形状に構成し、該第一ロータ（２１）及び第二ロータ（２２）の右側面と右下面を被覆し、該脱穀部開閉カバー（９４）の下部両側と、下機枠フレーム（１３ｂ）の側面の上部に蝶番（９５）を介装し、脱穀部開閉カバー（９４）を側下方に回動可能とし、該脱穀部開閉カバー（９４）の上部の、前記第一ロータ（２１）と第二ロータ（２２）のロータ回動軸（２１ｄ・２２ｄ）の下部の位置する部位には、上方を開放した凹部（９４ａ・９４ｂ）を構成し、該ロータ回動軸（２１ｄ・２２ｄ）を軸支するために、該凹部（９４ａ・９４ｂ）に、上機枠フレーム（１３ａ）から枢支プレート（１３ｃ・１３ｄ）を垂設し、該上機枠フレーム（１３ａ）の側面の脱穀カバーにおいて、前記枢支プレート（１３ｃ・１３ｄ）の下方に、前記受網（２３・２４）を着脱するための開口（１３ｅ・１３ｅ）を設けたので、脱穀部上方のグレンタンクを取り外したり、側方へ回動させ、さらにロータを取り外すといった煩雑な作業を行うことなく、脱穀部の側部よりメンテナンスを迅速に行うことができる。
また、開閉カバーを設ける右側面をロータ等への動力を伝達する動力伝達部の逆方向とするので、動力伝達部を構成するベルト等を取り外す作業を行う必要がないので、さらにメンテナンスの迅速性が図られて作業性が向上する。
【００３２】
また前記脱穀部開閉カバーを開けて、受網を側方に取り外し可能に構成したことにより、脱穀部上方のグレンタンクを除け、脱穀部上方を開放するなどの煩雑な作業を行うことなく、脱穀部側方より受網を抜き出してメンテナンスを迅速に行うことができ作業性が向上され、また、品種に合わせて受網を容易に交換できるなど汎用性も向上する。
【図面の簡単な説明】
【図１】        汎用コンバインの全体側面図一部断面図である。
【図２】    同じく平面図である。
【図３】  脱穀部及び選別装置の側面断面図である。
【図４】      ロータ右側部を被装する脱穀部開閉カバーの回動構成を示す正面図一部断面図である。
【図５】  同じく進行方向右側側面図面図である。
【図６】  脱穀部開閉カバーを開けた状態の進行方向右側側面図である。
【図７】  ファスナーの側面図である。
【図８】    脱穀部の右側側面図である。
【図９】  ロータカバーの回動構成を示す側面図である。
【符号の説明】
１３    機枠フレーム
１３ａ  上機枠フレーム（脱穀カバー）
１８    脱穀部
２１    第一ロータ
２２    第二ロータ
２３・２４    受網
３０    グレンタンク
３５ａ  ロータカバー
３６ａ  ロータカバー
４３    受網枠
４４    受網枠
９４    脱穀部開閉カバー
【図１】
0004139523.tif 000002
【図２】
0004139523.tif 000003
【図３】
0004139523.tif 000004
【図４】
0004139523.tif 000005
【図５】
0004139523.tif 000006
【図６】
0004139523.tif 000007
【図７】
0004139523.tif 000008
【図８】
0004139523.tif 000009
【図９】
0004139523.tif 000010